(57)【要約】【課題】携帯端末において、通話中でもユーザが電波の状態を知ることができるようにして、通話中に電波状態が悪化したときでも、対応がとれ、使い勝手をよくする。【解決手段】電波測定手段により、電波を測定し、測定された電波状態に対応するレベルを求め、測定された電波状態に対応する値が閾値未満であるか否かを判定し、測定された電波状態に対応する値が閾値未満であると判定されたときに、通話中に、レベルに応じた電波状態の通知音を出力する。また、好ましくは、通知音の音量は、電波の状態が悪いときにより大きくする。また、電波のレベルが最悪（圏外）のときには、通知音を、連続して鳴動させる。電波の状態が悪化しているか、好転しているかを判定し、電波の状態が悪化しているときと、好転しているときとで、別の通知音を鳴動させる。【選択図】  図４
2016178554.tif 000002
【特許請求の範囲】
【請求項１】
プログラムを実行するＣＰＵ（Central Processing Unit）と、電波測定手段と、音声出力手段と、を備える携帯端末であって、
前記電波測定手段により、送受信する電波の状態を測定して、電波の状態を取得し、
前記ＣＰＵが、測定された電波状態に対応するレベルを求め、
前記ＣＰＵが、測定された電波状態に対応する値が閾値未満であるか否かを判定し、
前記ＣＰＵが、測定された電波状態に対応する値が閾値未満であると判定されたときに、通話中に、前記レベルに応じた電波状態の通知音の出力を前記音声出力手段に指示することを特徴とする携帯端末。
【請求項２】
送受信する電波の状態が悪いときに、前記通知音の音量をより大きくすることを特徴とする請求項１記載の携帯端末。
【請求項３】
前記第一のレベルの通知音は、一回のみ出力され、前記第一のレベルより電波状態が悪いときに対応する第二のレベルの通知音は、連続して出力されることを特徴とする請求項１記載の携帯端末。
【請求項４】
前記携帯端末は、メモリ中に、第一の音源と、第二の音源を保持し、
前記測定された電波状態に対応するレベルを求めた後に、前回のレベルと比較し、前記送受信する電波の状態が悪化しているか、好転しているかを判定し、前記ＣＰＵが、電波状態の通知音の出力を前記音声出力手段に指示する際に、前記送受信する電波の状態が悪化しているときには、前記第一の音源による前記通知音の出力を指示し、前記電波の状態が好転しているときには、前記第二の音源による前記通知音の出力を指示することを特徴とする請求項１記載の携帯端末。
【請求項５】
プログラムを実行するＣＰＵ（Central Processing Unit）と、電波取得手段と、音声出力手段と、を備える携帯端末の電波状態通知方法であって、
前記電波取得手段により、送受信する電波の状態を測定して、電波の状態を取得するステップと、
前記ＣＰＵが、測定された電波状態に対応するレベルを求めるステップと、
前記ＣＰＵが、測定された電波状態に対応する値が閾値未満であるか否かを判定するステップと、
前記ＣＰＵが、測定された電波状態に対応する値が閾値未満であると判定されたときに、通話中に、前記レベルに応じた電波状態の通知音の出力を前記音声出力手段に指示するステップと、を有することを特徴とする携帯端末の電波状態通知方法。
【発明の詳細な説明】
【技術分野】
【０００１】
本発明は、携帯端末及びその電波状態通知方法に係り、特に、携帯端末で通話を行っているユーザに対して、通話を中断することなく、簡易な手段で、携帯端末が受信している電波の状態を知らせるのに好適な携帯端末及びその電波状態通知方法に関する。
【背景技術】
【０００２】
近年、個人が携帯して通話や、電子メール、Ｗｅｂ閲覧を行うことができるスマートフォンなどの携帯型の通信機器（携帯端末）が、通信技術、電子技術の発展に伴って、爆発的に普及している。このような携帯端末は、電波の状態を表示するのに、表示装置であるディスプレイの周辺部に電波を表示するアイコンとして示すのが通例である。
【０００３】
例えば、特許文献１には、ユーザ端末に対して、電波の状態をアンテナのアイコンで表示する技術が開示されている。また、特許文献２には、携帯電話機１０の状態表示領域６０に、アンテナ３４による電波受信状態を示すアンテナアイコン（ピクト）が表示されることが示されている。
【先行技術文献】
【特許文献】
【０００４】
【特許文献１】特開２０１２−１５６６７１号公報
【特許文献２】特開２０１３−１２５３７２号公報
【発明の概要】
【発明が解決しようとする課題】
【０００５】
上記従来技術に示したように、電波状態を表示するのは、アンテナアイコンで示すのが通常のやり方である。すなわち、このアンテナアイコンによる表示は、電波の強いときには、アンテナの立っている数を多くし、電波が弱いときには、アンテナの数を少なくする、また、電波が検知されないときには、「圏外」と表示するなどのように、ユーザに対して、電波の状態を視覚的に訴えるものである。
しかしながら、通話中では、ユーザは、本体を耳に近づけるためディスプレイの表示を見ることはできない。
【０００６】
以下、図８を用いて、従来技術に係る携帯端末でのユーザの電波状態の把握の様子を説明する。図８は、従来技術に係る携帯端末でのユーザの電波状態の把握の様子を説明するための図である。
【０００７】
図８の中の円は、電波強度の閾値を表すものであり、外にいけば行くほど悪化するものとする。電波強度が悪いときには、アンテナアイコンの所には、「圏外」などの表示がなされる。電波強度が悪化するときには、図８（ａ）に示されるように、状態１で、電波強度がよかったときに、「圏外」の表示はなされないが、状態２で「圏外」の表示がされることになる。また、それとは逆に、電波強度が改善されるときには、図８（ｂ）に示されるように、状態３で、電波強度が悪かったときに、「圏外」の表示がされ、状態４で、「圏外」の表示がされないことになる。いずれの場合にも、通話中は、電波の状態を確認することはできない。このように、従来技術の携帯端末では、ユーザは、通話中は、電波の状態を確認する手段がなく、電波強度が悪い状態に陥っても知るすべがなく、対応が取れないという問題点があった。
【０００８】
本発明の目的は、携帯端末において、通話中でもユーザが電波の状態を知ることができるようにして、通話中に電波状態が悪化したときでも、対応がとれるような使い勝手のよい携帯端末を提供することにある。
【課題を解決するための手段】
【０００９】
本発明の携帯端末は、好ましくは、プログラムを実行するＣＰＵ（Central Processing Unit）と、電波測定手段と、音声出力手段とを備え、電波測定手段により、電波を測定して、電波の状態を取得し、ＣＰＵが、測定された電波状態に対応するレベルを求め、測定された電波状態に対応する値が閾値未満であるか否かを判定し、測定された電波状態に対応する値が閾値未満であると判定されたときに、通話中に、レベルに応じた電波状態の通知音の出力を音声出力手段に指示する。
【００１０】
また、好ましくは、通知音の音量は、電波の状態が悪いときにより大きくし、第一のレベルの通知音は、一回のみ出力され、第一のレベルより電波状態が悪いときに対応する第二のレベルの通知音は、連続して出力される。
【００１１】
さらに、好ましくは、携帯端末は、メモリ中に、第一の音源と、第二の音源を保持し、ＣＰＵは、測定された電波状態に対応するレベルを求めるステップにおいて、前回のレベルと比較し、電波の状態が悪化しているか、好転しているかを判定し、電波の状態が悪化しているときには、第一の音源による通知音の出力を指示し、電波の状態が好転しているときには、第二の音源による通知音の出力を指示する。
【発明の効果】
【００１２】
本発明によれば、携帯端末において、通話中でもユーザが電波の状態を知ることができるようにして、通話中に電波状態が悪化したときでも、対応がとれるような使い勝手のよい携帯端末を実現することができる。
【図面の簡単な説明】
【００１３】
【図１】一実施形態に係るスマートフォンのハードウェア構成図である。
【図２】一実施形態に係るスマートフォンの機能構成図である。
【図３】電波ランクレベル表の一例を示す図である。
【図４】一実施形態に係る携帯端末でのユーザの電波状態の把握の様子を説明するための図である。
【図５】スマートフォンの電波状態を通知するときの処理の概要を示すシーケンス図である。
【図６】図５のシーケンス図におけるＳ２１のレベル判定からそのレベルにより通知音を鳴動させるときの電波強度監視部の処理を示すフローチャートである。
【図７】図６のフローチャートにおける鳴動処理Ｓ０６、Ｓ１２の詳細を示すフローチャートである。
【図８】従来技術に係る携帯端末でのユーザの電波状態の把握の様子を説明するための図である。
【発明を実施するための形態】
【００１４】
以下、本発明に係る各実施形態を、図１ないし図７を用いて説明する。  
先ず、図１及び図２を用いて本発明の一実施形態に係る携帯端末の構成について説明する。図１は、一実施形態に係るスマートフォンのハードウェア構成図である。図２は、一実施形態に係るスマートフォンの機能構成図である。
【００１５】
本実施形態では、携帯端末として、スマートフォンを例に採り説明する。しかしかしながら、本発明は、全ての通話機能を有する携帯型の通信機器に適用可能であり、一般の携帯電話、タブレット、ＰＨＳ（Personal Handy System）、通話アプリケーションがインストールされたノート型ＰＣ（Personal Computer）などであつてもよい。
【００１６】
スマートフォン１は、図１に示されるように、ハードウェアとして、ＣＰＵ（Central Processor Unit）１００、ＲＦ部１０１、ベースバンドプロセッサ１０２、無線ＬＡＮ部１０３、カメラ１０４、ディスプレイＩ／Ｆ（InterFace）１０５、加速度センサ１０６、メインメモリ１０７、フラッシュメモリ１０８、オーディオＩ／Ｆ（InterFace）１０９が、バスで結合されて構成されている。また、ディスプレイＩ／Ｆ１０５には、ディスプレイ１１０とタッチパネル１２０が接続され、オーディオＩ／Ｆ１０９には、マイク１３０とスピーカ１４０が接続されている。
【００１７】
ＣＰＵ１００は、スマートフォン１の各部を制御し、メインメモリ１０７上にロードされる電波状態通知のためのプログラムを実行する演算・制御のためのユニットである。ＣＰＵ１００は、フラッシュメモリ１０８に格納されるプログラムをメインメモリ１０７に読み込み実行することにより、種々の処理を行う。これらのプログラムやデータは、予めフラッシュメモリ１０８に格納しておいてもよいし、ＵＳＢメモリ等の記憶媒体から入力してもよいし、ネットワーク経由で外部のサーバなどからダウンロードしてもよい。また、そのプログラムにより実現される機能を、専用のハードウェアにより実現してもよい。
【００１８】
ＲＦ部１０１は、ベースバンドプロセッサ１０１の信号を無線帯域の高周波信号に変換し、逆に、無線帯域の高周波信号をベースバンドプロセッサ１０１の信号に変換するためのインタフェース装置である。スマートフォン１は、ＲＦ部１０１を介して、３Ｇ回線や４Ｇ回線により基地局を介して通信し、インターネットによりサーバと通信し、必要な情報のやりとりや、データのダウンロードを行うことができる。
【００１９】
ベースバンドプロセッサ１０２は、スマートフォン１の通信や通話に関するモジュールを制御するプロセッサである。また、ＲＦ部１０１と、ベースバンドプロセッサ１０１とにより、通信キャリアと送受信する電波の状態を測定する機能も有する。
【００２０】
無線ＬＡＮ部１０３は、無線ＬＡＮの規格（例えば、IEEE 802.11 a/b/g/n/acなど）により、近隣のアクセスポイントと通信を行う部分である。また、無線ＬＡＮ部１０３は、無線ＬＡＮの通信帯域で、アクセスポイントと送受信する電波の状態を測定する機能も有する。
【００２１】
カメラ１０４は、スマートフォン１の周りの状況を撮像し、それを画像データとしてフラッシュメモリ１０８に保存する。
【００２２】
ディスプレイＩ／Ｆ１０５には、ディスプレイ１１０とタッチパネル１２０を接続するインタフェースである。ディスプレイ１１０は、例えば、液晶ディスプレイや有機ＥＬ（Electro-Luminescence）ディスプレイ等のユーザに画像情報を表示する表示装置であり、３インチ〜５インチ程度の画面の表示サイズのものが一般に使用されている。タッチパネル１２０は、ユーザ５がディスプレイ１１０上を指又はタッチペンで接触することにより、データやコマンドを入力する仕組みの入力装置である。
【００２３】
加速度センサ１０６は、スマートフォン１に発生する加速度を測定するセンサである。測定された加速度は、例えば、画面の表示切り替えなどに使用される。
【００２４】
メインメモリ１０７は、フラッシュメモリ１０８に記憶されているプログラムをロードして一時的に保管し、またワークデータを記憶する記憶装置である。
【００２５】
フラッシュメモリ１０８は、通常メインメモリ１０７より大容量で、プログラムやデータを格納する不揮発性のメモリである。フラッシュメモリ１０８には、音源データ、動画データなどの各種データと、電波状態通知のためのプログラムのアプリケーションソフトウェアなどのプログラムを記憶する比較的大容量の記憶装置である。
【００２６】
オーディオＩ／Ｆ１０９は、マイク１３０やスピーカ１４０を接続するインタフェースである。マイク１３０は、外部から集音する装置である。スピーカ１４０は、音を出力する装置である。ユーザは、通話するときには、マイク１３０から音声を入力して、相手の音声は、スピーカ１４０から聴くことになる。また、本実施形態では、電波の状態を示す通知音を出力する意義を有する。なお、図には示さなかったが、オーディオＩ／Ｆ１０９に音声出力デバイスとして、イヤホンやヘッドフォンを接続してもよい。
【００２７】
次に、図２を用いてスマートフォン１のソフトウェア（機能）構成について説明する。  呼制御部２００は、ユーザの通話に関する処理を制御する部分である。電波強度監視部２０１は、スマートフォンＯＳ３００から、電波強度変化リスナー（listener）（以下、単に「リスナー」という）２０３を介して電波の状態を監視し、受取る部分であり、内部にサブルーチンとして、音発生部２０２を含む。音発生部２０２は、通知音の音源（図示せず、メインメモリ１０７又はフラッシュメモリ１０８に格納されている）に基づき、音発生をスマートフォンＯＳ３００に依頼する部分である。リスナー２０３は、電波強度の変化をモニタするために、電波の状態を定期的にＯＳに問い合わせるための制御を行う部分である。監視する電波の対象は、スマートフォン１が通信の対象とする３Ｇ、ＬＴＥなどのキャリアによる回線、無線ＬＡＮ規格のＷｉ−Ｆｉ（登録商標）によるものを含むものである。
【００２８】
スマートフォンＯＳ３００は、アプリケーションソフトウェアとハードウェアのなかだちを行う基本ソフトウェアである。アプリケーションソフトウェアからのシステムコールやサービス関数呼出しという形で機能が提供される。なお、これらのモジュールによる詳細な処理は、後に、シーケンス図とフローチャートを用いて説明する。
【００２９】
次に、図３を用いて一実施形態に係るスマートフォンが電波状態を通知するときの処理の概要について説明する。図３は、電波ランクレベル表の一例を示す図である。
スマートフォン１は、通話開始と同時にリスナー２００を起動する。リスナーが電波状況の悪化を検知した際、その電波状況が閾値を超えた場合に通知音を鳴らす。通知音は、電波状況の悪化した場合、改善した場合で音源を分ける。また、通知音は悪化した場合に音量を上げ、改善した場合に音量を下げるようにする。通知音は受信音声と同じ受話口より重ねて鳴動させることとし。非通話時は通知音は鳴動させないようにする。
【００３０】
判定を行うための閾値は、図３に示されるように、通信規格で採用する単位が異なるためそれらを一意に統一化させたものを用いる。この表では、各々の規格に対して電波を評価する尺度を保持しており、それらをレベルとして対応させたものである。ここで、ＧＳＭ（Global System for Mobile communications）は、ＦＤＤ−ＴＤＭＡ方式で実現されている第２世代携帯電話（２Ｇ）規格であり、符号分割多元接続（ＣＤＭＡ（Code Division Multiple Access））技術を用いた移動通信システムｃｄｍａＯｎｅ及びＣＤＭＡ２０００、ＣＤＭＡ２０００  １ｘの規格の略称であり、ＥＶＤＯは、ＣＤＭＡ技術を応用した携帯電話方式ｃｄｍａ２０００規格に含まれるデータ通信専用の規格であり、ＬＴＥ（Long Term Evolution）は、標準化団体３ＧＰＰにて規格化された第３．９世代携帯電話  （３．９Ｇ）とも第４世代携帯電話  （３．９Ｇ）とも称される通信規格である。
【００３１】
なお、リスナー起動時点で現在の通信方式の電波強度が無線ＬＡＮ規格のＷｉ−Ｆｉ及びキャリアの３Ｇ、ＬＴＥ回線の両方が接続可能な場合は、リスナー起動時点で接続している通信方式が閾値を下回っている際に切り替えを行う。Ｗｉ−Ｆｉから３Ｇ、ＬＴＥに切り替える際は、一度Ｗｉ−Ｆｉを切断し、通話後に復帰させる。これは両通信方式が有効な際にＷｉ−Ｆｉが優先されるスマートフォンの特性があるためである。
【００３２】
次に、図４を用いて、一実施形態に係る携帯端末でのユーザの電波状態の把握の様子を説明する。図４は、一実施形態に係る携帯端末でのユーザの電波状態の把握の様子を説明するための図である。
【００３３】
図４の中の円は、図８と同様に電波強度の閾値を表すものであり、外にいけば行くほど悪化するものとする。通話中に、電波強度が悪いときには、通知音は発せられない（状態１０）。そして、通話中に、電波強度が悪化するときには、図４（ａ）に示されるように、状態１１、状態１２に遷移するにしたがって、音源Ａによって発せられる通知音「ブ」の音量が大きくなる。また、それとは逆に、電波強度が改善されるときには、図４（ｂ）に示されるように、状態２０では、音源Ｂによって発せられる通知音「ピ」の音量は、大きく、電波の状態がよりよい状態２１では、その音量は小さくなり、さらに電波の状態がよくなった状態２２では、通知音を鳴らさないようにする。また、状態１１、状態２１では、通知音は断続的に鳴らすが、電波の状態が最も悪い状態１２、状態２０では、通知音は連続的に鳴らす（通知音「ブー」、通知音「ピー」）こととする。これらの処理により、ユーザは通話中であっても、電波強度が悪化するとき、電波の状態が改善するときの状態の認識をしながら、電波の状態を把握することができる。
【００３４】
次に、図５ないし図７を用いて一実施形態に係るスマートフォンの電波状態を通知するときの処理について詳細に説明する。図５は、スマートフォンの電波状態を通知するときの処理の概要を示すシーケンス図である。図６は、図５のシーケンス図におけるＳ２１のレベル判定からそのレベルにより通知音を鳴動させるときの電波強度監視部の処理を示すフローチャートである。図７は、図６のフローチャートにおける鳴動処理Ｓ０６、Ｓ１２の詳細を示すフローチャートである。
【００３５】
先ず、図５を用いてスマートフォンの電波状態を通知するときの処理の概要について説明する。  
先ず、通話中でないときには、スマートフォンＯＳ３００と、電波強度監視部２０１の電波強度を受け渡すやり取りは行われない（Ａ００）。
【００３６】
呼制御部２００が、通話を開始して（Ｓ２０）、電波強度監視部２０１に対して開始要求を行う（Ａ０１）。電波強度監視部２０１は、環境情報取得、変数やワークテーブルの初期化などの初期化を行い（Ｓ３０）、リスナー２０３の登録を行う（Ａ０２）。これにより、電波強度が変わったときには、リスナー２０３経由で電波強度監視部２０１に電波強度変更の通知がされる（Ａ０３、Ａ０４）。
【００３７】
次に、電波強度監視部２０１は、電波強度のレベル判定を行う（Ｓ３１）。
【００３８】
そして、レベル判定の結果が、レベル１、２であったときには（Ｓ３２）、電波強度監視部２０１は、鳴動１回の通知音鳴動要求を行い（Ａ０５）、スマートフォンＯＳ３００は、それを受けて通知音を１回鳴動させるように制御する（Ｓ４０）。レベル判定の結果が、レベル０であったときには（Ｓ３３）、電波強度監視部２０１は、連続の通知音鳴動要求を行い（Ａ０６）、スマートフォンＯＳ３００は、それを受けて通知音を連続で鳴動させるように制御する（Ｓ４１）。
【００３９】
この処理により、レベル判定の結果に従い、スマートフォン１のスピーカ１４０（図１）より、通知音が鳴動することになる。電波強度監視部２０１は、所定時間後、通知音が鳴動中か否かを判定し（Ｓ３４）、鳴動しているときには、電波強度監視部２０１は、スマートフォンＯＳ３００に対して停止要求を行い（Ａ０７）、スマートフォンＯＳ３００は、通知音を停止するように制御する（Ｓ４２）。
【００４０】
呼制御部２００が、通話を終了したとき（Ｓ２１）、電波強度監視部２０１に対して停止要求を行う（Ａ０９）。電波強度監視部２０１は、停止要求を受け、通知音が鳴動中か否かを判定し（Ｓ３５）、鳴動しているときには、電波強度監視部２０１は、スマートフォンＯＳ３００に対して停止要求を行い（Ａ０８）、スマートフォンＯＳ３００は、通知音を停止するように制御する（Ｓ４３）。そして、リスナー２０３の登録解除を行い（Ａ１０）、必要なら使用メモリの解放などの終了処理を行う（Ｓ３６）。
【００４１】
次に、図６を用いて図５のシーケンス図におけるＳ２１のレベル判定からそのレベルにより通知音を鳴動させるときの処理を説明する。
【００４２】
先ず、スマートフォンＯＳ３００は、リスナー２０３を介し、電波強度監視部２０１に対して電波強度の通知を行う（Ｓ０１、図５のＡ０３、Ａ０４）。電波強度監視部２０１は、それに基づいて、図３の電波レベル表に基づいてレベル取得を行う（Ｓ０２）。
【００４３】
そして、そのレベルを前のレベルと比較する（Ｓ０３）。
【００４４】
前と同じレベルのときには、鳴動させない（Ｓ０９）。そして、次回判定用のために、現在のレベルを保存する（Ｓ０８）。
【００４５】
前回より下がった（電波状態の悪化）ときには、閾値を判定し（Ｓ０４）、閾値以上であるときには、次回判定用のために、現在のレベルを保存する（Ｓ０８）。閾値未満であるときには、悪化音を指定する（Ｓ０５）。ここでいう悪化音とは、電波状態が悪化したときに鳴動させる通知音であり、図４で説明した「ブ」に相当する音である。そして、レベルに従い音量の上昇を指定し（Ｓ０６）、鳴動処理を行う（Ｓ０７、詳細は、後述）。そして、次回判定用のために、現在のレベルを保存する（Ｓ０８）。
【００４６】
前回より上がった（電波状態の好転）ときには、閾値を判定し（Ｓ１０）、閾値以上であるときには、次回判定用のために、現在のレベルを保存する（Ｓ０８）。閾値未満であるときには、好転音を指定する（Ｓ１１）。ここでいう好転音とは、電波状態が好転したときに鳴動させる通知音であり、図４で説明した「ピ」に相当する音である。そして、レベルに従い音量の低下を指定し（Ｓ１２）、鳴動処理を行う（Ｓ１３、詳細は、後述）。そして、次回判定用のために、現在のレベルを保存する（Ｓ０８）。
【００４７】
次に、図６のＳ０７、Ｓ１３の鳴動処理の詳細について説明する。
先ず、鳴動中か否かを判定し（Ｓ５０）、鳴動中のときには、鳴動を停止させる（Ｓ５１）。
【００４８】
次に、レベルを判定し（Ｓ５２）、レベル０のときには、連続的に鳴動させ（Ｓ５５）、レベル１、２のときには、１回だけ鳴動させる（Ｓ５４）。
【００４９】
上で説明した好転音、悪化音は、システム規定の音を用いてもよいし、ユーザが音源を指定できるようにしてもよい。また、本実施形態の電波状態の通知音による通知に関しては、ユーザがスマートフォン１の環境の設定画面により、ＯＮ、ＯＦＦ、また、通知するレベルなどを設定できるようにすることが望ましい。
【００５０】
以上ように、本発明によれば、アンテナアイコンを見ることができない歩きながらの通話時に、操作者は、通話を継続しながら通知音により電波強度の悪化を認識することができる。また、通知音の強弱や音源の種別により、悪化、改善を判断することができ、電波の良いところへの移動を促すことができる。切断原因が電波強度の悪化であった場合、音が鳴ることによって原因を把握し、再度通話する際の指標とすることができる。
【符号の説明】
【００５１】
１…スマートフォン、１００…ＣＰＵ（Central Processor Unit）、１０１…ＲＦ部、１０２…ベースバンドプロセッサ、１０３…無線ＬＡＮ部、１０４…カメラ、１０５…ディスプレイＩ／Ｆ（InterFace）、１０６…加速度センサ、１０７…メインメモリ、１０８…フラッシュメモリ、１０９…オーディオＩ／Ｆ（InterFace）、１１０…ディスプレイ、１２０…タッチパネル、１３０…マイク、１４０…スピーカ。
【図１】
2016178554.tif 000003
【図２】
2016178554.tif 000004
【図３】
2016178554.tif 000005
【図４】
2016178554.tif 000006
【図５】
2016178554.tif 000007
【図６】
2016178554.tif 000008
【図７】
2016178554.tif 000009
【図８】
2016178554.tif 000010